(57)【要約】 【課題】  係合部に与える衝撃力を吸収するようにした前方握把部材を提供する。【解決手段】  前方握把部材１０は、銃１の銃身２を覆う被筒３に形成された取付部４の係合部５に係合する一対の係合爪１１を一端側に備えた本体部１２と、本体部１２の内側に保持される軸部材１５とから成り、本体部１２の一対の係合爪１１には、所定以上の衝撃力が加わったときに係合爪１１を折れ易くする切り欠き部１８を設け、段付き形状である軸部材１５の大径部１５ｂには緩衝材２３を取付け、軸部材１５の小径部１５ａ外周には、所定以上の衝撃力が加わったときに小径部１５ａを折れ易くする環状溝２５を設け、前方握把部材１０に衝撃力が加わったときに、切り欠き部１８、緩衝材２３、環状溝２５の何れかによって前方握把部材１０から係合部５に与える衝撃力が吸収される。【選択図】  図２
2008051387.tif 000002
【特許請求の範囲】
【請求項１】
銃の銃身を覆う被筒に形成された取付部の係合部に係合する一対の係合爪を一端側に備えた本体部と、本体部の内側に保持され、前記係合爪間の溝内側に突出させる当接面を一端側に備えた軸部材とから成り、本体部の係合爪と軸部材の当接面により係合部を挟み込むことで取付部に装着される前方握把部材において、前方握把部材に衝撃力が加わったときに、前方握把部材から係合部に与える衝撃力を吸収する衝撃力吸収機構を備えたことを特徴とする前方握把部材。
【請求項２】
衝撃力吸収機構は、軸部材の他端側に設けた緩衝材から成り、前方握把部材に衝撃力が加わったときに、緩衝材により衝撃力を吸収するようにしたことを特徴とする請求項１記載の前方握把部材。
【請求項３】
衝撃力吸収機構は、軸部材の小径部外周に設けた環状溝から成り、前方握把部材に衝撃力が加わったときに、環状溝により衝撃力を吸収するようにしたことを特徴とする請求項１記載の前方握把部材。
【請求項４】
衝撃力吸収機構は、本体部の一対の係合爪に設けた切り欠き部から成り、前方握把部材に衝撃力が加わったときに、切り欠き部により衝撃力を吸収するようにしたことを特徴とする請求項１記載の前方握把部材。
【発明の詳細な説明】
【技術分野】
【０００１】
本発明は、銃の銃身を覆う被筒に形成された取付部に装着する前方握把部材に関する。
【背景技術】
【０００２】
従来、銃の銃身を覆う被筒に形成された取付部に装着する前方握把部材は、射撃時に銃の操作性を向上させるために用いられることが知られている。前方握把部材は、特許文献１に記載のように、取付部の係合部に係合する一対の係合爪を一端側に備えた本体部と、本体部の内側に保持され、前記係合爪間の溝内側に突出させる当接面を一端側に備えた軸部材とから成り、本体部の係合爪と軸部材の当接面により係合部を挟み込むことで取付部に装着されるようになっている。
【特許文献１】米国特許出願公開第２００６／６４９１３号明細書
【発明の開示】
【発明が解決しようとする課題】
【０００３】
上記の前方握把部材を装着した銃を射撃訓練中や搬送中に落とした場合、前方握把部材から着地して前方握把部材に衝撃力が加わると、衝撃力により係合部を介して取付部や被筒が折れ曲がり銃身や他部品に悪影響を与えることで射撃の継続が困難になるおそれがあった。そこで本発明の課題は、上記問題点を解決するもので、係合部に与える衝撃力を吸収するようにした前方握把部材を提供することを目的とする。
【課題を解決するための手段】
【０００４】
本発明の前方握把部材は、銃の銃身を覆う被筒に形成された取付部の係合部に係合する一対の係合爪を一端側に備えた本体部と、本体部の内側に保持され、前記係合爪間の溝内側に突出させる当接面を一端側に備えた軸部材とから成り、本体部の係合爪と軸部材の当接面により係合部を挟み込むことで取付部に装着される前方握把部材において、前方握把部材に衝撃力が加わったときに、前方握把部材から係合部に与える衝撃力を吸収する衝撃力吸収機構を備えたことを特徴とする。具体的に前記衝撃力吸収機構は、軸部材の他端側に設けた緩衝材から成り、前方握把部材に衝撃力が加わったときに、緩衝材により衝撃力を吸収するようにしたことを特徴とする。また、前記衝撃力吸収機構は、軸部材の小径部外周に設けた環状溝から成り、前方握把部材に衝撃力が加わったときに、環状溝により衝撃力を吸収するようにしたことを特徴とする。更に、衝撃力吸収機構は、本体部の一対の係合爪に設けた切り欠き部から成り、前方握把部材に衝撃力が加わったときに、切り欠き部により衝撃力を吸収するようにしたことを特徴とする。
【発明の効果】
【０００５】
本発明では、前方握把部材は、銃の銃身を覆う被筒に形成された取付部の係合部に係合する一対の係合爪を一端側に備えた本体部と、本体部の内側に保持され、前記係合爪間の溝内側に突出させる当接面を一端側に備えた軸部材とから成り、本体部の一対の係合爪には、所定以上の衝撃力が加わったときに係合爪を折れ易くする切り欠き部を設け、段付き形状である軸部材の大径部には緩衝材を取付け、軸部材の小径部外周には、所定以上の衝撃力が加わったときに小径部を折れ易くする環状溝を設け、前方握把部材に衝撃力が加わったときに、衝撃力吸収機構を構成する切り欠き部、緩衝材、環状溝の何れかによって前方握把部材から係合部に与える衝撃力が吸収される。
【発明を実施するための最良の形態】
【０００６】
図１に示す銃１には、銃身２を覆う被筒３に形成された複数の取付部４の１つに前方握把部材１０が装着されている。前方握把部材１０は射撃時に銃１の操作性を向上させるために用いられるものである。前方握把部材１０について説明する。前方握把部材１０は、取付部４の係合部５に係合する一対の係合爪１１を一端側に備えた本体部１２と、本体部１２の内側に保持され、前記係合爪１１間の溝１３内側に突出させる当接面１４を一端側に備えた軸部材１５とから成る。本体部１２の内側には軸線方向に貫通する段付き孔１６が設けられ、小径孔１６ａと大径孔１６ｂとの間にはネジ部１７が形成されている。本体部１２の一端側には、係合部５の突部５ａに係合するように形成した係合爪１１が一対設けられている。各係合爪１１には、所定以上の衝撃力が加わったときに係合爪１１を折れ易くする切り欠き部１８が設けられている。また、各係合爪１１には前記段付き孔１６に対して水平方向に貫通孔１９が設けてある。
【０００７】
軸部材１５は段付き形状であり、一端側の小径部１５ａと他端側の大径部１５ｂとの間にはネジ部２０、Ｏリング取付け溝２１が夫々形成されている。軸部材１５の内側には軸線方向に伸びた穴２２が設けられ、その穴２２を塞ぐように大径部１５ｂには緩衝材２３が取付けられている。小径部１５ａ先端には当接面１４が形成されている。当接面１４には突起部２４が設けられている。その突起部２４は取付部４に複数設けた横溝６深さより短くしてある。軸部材１５の小径部１５ａ外周には、所定以上の衝撃力が加わったときに小径部１５ａを折れ易くする環状溝２５が形成されている。以上のことから前方握把部材１０は、本体部１２の内側に保持された軸部材１５を回転させることで当接面１４を一対の係合爪１１間の溝１３内側に突出させ、係合部５を一対の係合爪１１と当接面１４により挟み込むようにして取付部４に装着されるようになっている。また、一対の係合爪１１と当接面１４との挟み込み状態を、本体部１２に設けた貫通孔１９から見える突起部２４の位置によって確認できるようになっている。更に軸部材１５はＯリング２６により振動等で回転しないようになっている。尚、本実施形態では、緩衝材２３で吸収できない衝撃力を所定以上の衝撃力としてある。
【０００８】
上記前方握把部材１０を装着した銃１を射撃訓練中や搬送中に落とした場合、前方握把部材１０から着地して前方握把部材１０に衝撃力が加わっても、切り欠き部１８、緩衝材２３、環状溝２５から成る衝撃力吸収機構Ａによって前方握把部材１０から係合部５に与える衝撃力が吸収されるようになっている。具体的には、前方握把部材１０の軸線方向に対して水平方向から所定以上の衝撃力Ｆ１が加わったときには、係合爪１１に設けた切り欠き部１８が折れることで係合爪１１が破損し、係合爪１１と当接面１４により係合部５を挟み込む状態が解除され、衝撃力Ｆ１が係合部５に与える力が吸収されることになる。次に、前方握把部材１０に軸線方向から衝撃力Ｆ２が加わったときには、衝撃力Ｆ２は緩衝材２３の撓みにより吸収されるが、前記緩衝材２３で吸収できない衝撃力Ｆ２の場合には、小径部１５ａに設けた環状溝２５が折れることで小径部１５ａが破損し、係合爪１１と当接面１４により係合部５を挟み込む状態が解除され、衝撃力Ｆ２が係合部５に与える力が吸収されることになる。
【０００９】
従って、前方握把部材１０を装着した銃１を射撃訓練中や搬送中に落とした場合、前方握把部材１０から着地して前方握把部材１０に衝撃力が加わっても、衝撃力吸収機構Ａの何れかにより衝撃力が吸収されることで係合部５を介して取付部４や被筒３に与える影響を少なくできるから、従来のように、衝撃力により取付部４や被筒３が折れ曲がり銃身２や他部品に悪影響を与えることで射撃の継続が困難になることがない。また、簡単な構成であり、既存の前方握把部材１０に容易に採用することができる。更に、安価な前方握把部材１０のみを交換すれば再び操作性の向上した銃１によって射撃を行なうことが可能となる。本実施形態では、衝撃力吸収機構Ａの切り欠き部１８、緩衝材２３、環状溝２５を同時に設けたが、前方握把部材１０に何れか１つ備えたものであってもよい。
【図面の簡単な説明】
【００１０】
【図１】本発明の前方握把部材を装着した銃を示す図である。
【図２】（ａ）は図１のＩＩＩ−ＩＩＩ線断面図であって、（ｂ）は係合爪と当接面との挟み込み状態を解除した状態を示す図である。
【符号の説明】
【００１１】
１        銃
２        銃身
３        被筒
４        取付部
５        係合部
１０      前方握把部材
１１      係合爪
１２      本体部
１３      溝
１４      当接面
１５      軸部材
１５ａ    小径部
１８      切り欠き部
２３      緩衝材
２５      環状溝
Ａ        衝撃力吸収機構
【図１】
2008051387.tif 000003
【図２】
2008051387.tif 000004